(57)【要約】      （修正有）【課題】１台の什器用台座とその台座上に載置して組み合わせの可能な貴金属等の陳列ケースを用いることによって、狭い展示スペースでも顧客に対して特に販売した商品を優先的に展示できる新規な什器用台座と商品展示用の陳列ケースを提供すること。【解決手段】複数の引き出し部３を有する台座本体２であって、本体２上面に中央部が凹状である外枠体４を形成すると共に、外枠体４内部に凸状部の台座上面が外枠体４より高くなるように載置固定され、他の什器底部の凹状内周面が凸状部面と外枠との段差を利用して接触可能に載置されて、他の什器の載置ずれを防止する。【選択図】図１
2006187518.tif 000002
【特許請求の範囲】
【請求項１】
必要に置いて複数の引き出し部を有する台座本体であって、本体上面に中央部が凹状である外枠体を形成すると共に、該外枠体内部に凸状部の台座上面が前記外枠体より高くなるように載置固定され、他の什器底部の凹状内周面が該凸状部面と外枠との段差を利用して接触可能に載置されて、他の什器の載置ずれを防止することを特徴とする什器用台座。
【請求項２】
本体表面に中央部が凹状である外枠体を形成されている台座本体と、該外枠体内部に凸状部の台座が前記外枠体より高くなるように載置固定され、他の什器底部の凹状内周面が該凸状部面と外枠との段差を利用して接触可能に載置されて、他の什器の載置ずれを防止することを特徴とする什器用台座。
【請求項３】
陳列ケース用の台座であって、台座上面の四端部に一定幅の陳列ケース載置部を設けると共に、中央部は台座上面に設けられた凸状体であって該凸状体と台座上面との段差を利用して他の什器の載置ずれを防止することを特徴とする什器用台座。
【請求項４】
陳列ケース用の台座であって、台座上面の四端部に一定幅の外枠を有し、内部に外枠の高さとほぼ同一面を有する陳列台を脱着可能に設けると共に、前記台座下面の窪み部で他の什器底部の凸状部面と接触可能に載置されて、台座の載置ずれを防止することを特徴とする什器用台座。
【請求項５】
外枠を有する凹状箱体本体と山形形状の中置き材とから構成され、箱体内部には複数の山形状中置き材を着脱自在に載置し、該山形状中置き材の斜面を利用して貴金属を展示すると共に、箱体本体の底部には外枠部が中央部の底面より高くなるように設定して什器用台座の凸上部に載置することが可能なことを特徴とする陳列ケース。
【請求項６】
前記山形状中置き材は、斜面部と垂直面とが交互に連続する透明素材からなると共に、頂部を境に貴金属の鎖部を載置して陳列することを特徴とする請求項４記載の陳列ケース。
【請求項７】
矩形状上板と側板と裏板とを有する基台と、ネックレス等を陳列する陳列部を有する引出部とから構成され、前記引出部は基台上を前後に出し入れ可能となっており、更に、前記基台底部には外枠部と窪み部とが構成されてなることにより、前記窪み部で台座の凸上部に載置することが可能なことを特徴とする陳列ケース。
【請求項８】
前記引出部は、前記矩形状上板の下部に複数のフック部を設けて商品を止める商品止め部と、該商品止め部から入り口方面に傾斜を有する陳列部と、前記基台に鍵止めできる鍵部とを有することを特徴とする請求６記載の陳列ケース。
【請求項９】
前記陳列ケース部の底部には、前記基台上に設けられた底引きスライドレールの上を移動する金属板を設けていることを特徴とする請求項６〜７記載の陳列ケース。
【請求項１０】
基台と、該基台上を移動可能な引出部とから構成され、前記基台は、三方向に外枠を有すると共に、該外枠の内側面に沿って延設する透明ガラスと頂部を覆う透明ガラスとによって空間を形成し、
一方、引出部は、基台の表面に設けられた底引きスライドレールを移動する金属板を底部に固定すると共に、引出板内側面に沿って透明ガラスを延設して、前記基台上の透明ガラスとで密封空間を設けることを特徴とする陳列ケース。
【請求項１１】
前記引出部の前面には、鍵部を取付けてあり、閉鎖時にはロック鍵が前記基台に設けた鍵穴に固定されることによって引出部の移動を阻止していることを特徴とする請求項９記載の陳列ケース。
【発明の詳細な説明】
【技術分野】
【０００１】
本発明は、貴金属や高級ブローチ及びネックレス等の高級品を展示する陳列ケースやその台座等の什器に関し、さらに詳しくは、陳列場所のスペースに合わせて展示ケースや台座等の配列を自由に組み合わせて変えうる新規な什器を提供するものである。
【背景技術】
【０００２】
従来の陳列ケース等は、基本的に商品を陳列することを主体にするために、商品をしまう引き出し部を最下段に設けたりして展示棚をできるだけ多く設置し、一方で商品をしまっておく引き出し部を単独で配置していたために、狭い陳列室の中では顧客に対してに商品を充分に展示することができなかった。
【０００３】
また貴金属や高級ブローチ及びネックレス等の高級品を展示する場合、直接顧客に手に取って視認してもらうことが商品価値を理解してもらうことが販売上望まれるが、一方で高級品故の盗難事故が多発するのを防止するための工夫をしなければならないという問題もあった。
【０００４】
実開平５−５７２５６号「制御錠付き陳列ケース」には、宝石店などの陳列ケースの収容部の施錠及び開錠を販売店の手元で容易に操作出来るようにし、顧客との商談の際に、会話を中断することなく商品が取り出させることが出来る陳列ケースが開示されている。
【特許文献１】実開平５−５７２５６号
【発明の開示】
【発明が解決しようとする課題】
【０００５】
しかしながら上述の「制御錠付き陳列ケース」は、所要数の収容部の開閉部に電気錠を備えているものであり、そしてこの電気錠の施錠や開錠を無線等の発進装置からの指示を受けて受信制御装置が行なうというケースであり、ケース自体の単価が高くならざるを得なかった。
【０００６】
近年の貴金属の展示等においては、固定店での販売もさることながら著名なデパートや専門店における移動販売も行なわれるように成り、そのために専門の什器を用いて販売することが多くなっている。また、一方で少ない販売面積であっても顧客に対して商品のＰＲが十分に出来る工夫が求められていた。
【課題を解決するための手段】
【０００７】
本発明者は係る課題を解決するために鋭意研究したところ、１台の什器用台座とその台座上に載置して組み合わせの可能な貴金属等の陳列ケースを用いることによって、狭い展示スペースでも顧客に対して特に販売した商品を優先的に展示できる新規な陳列ケースを提供することが可能となった。
【０００８】
すなわち本発明の第一は、必要に置いて複数の引き出し部を有する台座本体であって、本体上面に中央部が凹状である外枠体を形成すると共に、該外枠体内部に凸状部の台座上面が前記外枠体より高くなるように載置固定され、他の什器底部の凹状内周面が該凸状部面と外枠との段差を利用して接触可能に載置されて、他の什器の載置ずれを防止することを特徴とする什器用台座である。
【０００９】
本発明の第二は、本体表面に中央部が凹状である外枠体を形成されている台座本体と、該外枠体内部に凸状部の台座が前記外枠体より高くなるように載置固定され、他の什器底部の凹状内周面が該凸状部面と外枠との段差を利用して接触可能に載置されて、他の什器の載置ずれを防止することを特徴とする什器用台座である。
【００１０】
本発明の第三は、陳列ケース用の台座であって、台座上面の四端部に一定幅の陳列ケース載置部を設けると共に、中央部は台座上面に設けられた凸状体であって該凸状体と台座上面との段差を利用して他の什器の載置ずれを防止することを特徴とする什器用台座である。
【００１１】
本発明の第四は、外枠を有する凹状箱体本体と山形形状の中置き材とから構成され、箱体内部には複数の山形状中置き材を着脱自在に載置し、該山形状中置き材の斜面を利用して貴金属を展示すると共に、箱体本体の底部には外枠部が中央部の底面より高くなるように設定して什器用台座の凸上部に載置することが可能なことを特徴とする陳列ケースである。
【００１２】
本発明の第五は、陳列ケース用の台座であって、台座上面の四端部に一定幅の外枠を有し、内部に外枠の高さとほぼ同一面を有する陳列台を脱着可能に設けると共に、前記台座下面の窪み部で他の什器底部の凸状部面と接触可能に載置されて、台座の載置ずれを防止することを特徴とする什器用台座である。
【００１３】
本発明の第六は、前記山形状中置き材は、斜面部と垂直面とが交互に連続する透明素材からなると共に、頂部を境に貴金属の鎖部を載置して陳列することを特徴とする請求項４記載の陳列ケースである。
【００１４】
本発明の第七は、矩形状上板と側板と裏板とを有する基台と、ネックレス等を陳列する陳列部を有する引出部とから構成され、前記引出部は基台上を前後に出し入れ可能となっており、更に、前記基台底部には外枠部と窪み部とが構成されてなることにより、前記窪み部で台座の凸上部に載置することが可能なことを特徴とする陳列ケースである。
【００１５】
本発明の第八は、前記引出部は、前記矩形状上板の下部に複数のフック部を設けて商品を止める商品止め部と、該商品止め部から入り口方面に傾斜を有する陳列部と、前記基台に鍵止めできる鍵部とを有することを特徴とする請求６記載の陳列ケースである。
【００１６】
本発明の第九は、前記陳列ケース部の底部には、前記基台上に設けられた底引きスライドレールの上を移動する金属板を設けていることを特徴とする請求項６〜７記載の陳列ケースである。
【００１７】
本発明の第十は、基台と、該基台上を移動可能な引出部とから構成され、前記基台は、三方向に外枠を有すると共に、該外枠の内側面に沿って延設する透明ガラスと頂部を覆う透明ガラスとによって空間を形成し、
一方、引出部は、基台の表面に設けられた底引きスライドレールを移動する金属板を底部に固定すると共に、引出板内側面に沿って透明ガラスを延設して、前記基台上の透明ガラスとで密封空間を設けることを特徴とする陳列ケースである。
【００１８】
本発明の第十一は、前記引出部の前面には、鍵部を取付けてあり、閉鎖時にはロック鍵が前記基台に設けた鍵穴に固定されることによって引出部の移動を阻止していることを特徴とする請求項９記載の陳列ケースである。
【発明の効果】
【００１９】
本発明の什器用台座と貴金属商品陳列ケースとを組み合わせることによって、載置された貴金属商品陳列ケースの底部の窪み部は、什器用台座の外枠に沿って載置されると共に外枠体内部の凸状部に引っかかる構造となっているために、貴金属商品陳列ケース自体が滑り落ちることを防止できるものである。
【００２０】
展示場が狭いスペースであれば、販売対象商品を決めてそれらの専用の陳列ケースを中心に複数並べて展示することが可能となり、狭いスペースの中でもメリハリのきいた販売が可能となり、売上げ効果に適するものである。
【発明を実施するための最良の形態】
【００２１】
以下、図面を参照に本発明を詳細に説明するが、本発明はこれらに限定されるものではない。
【実施例１】
【００２２】
図１は、本発明に基づく什器用台座を示す斜視図である。什器用台座１は、一例として縦幅７８０ｍｍ、横幅６００ｍｍ、奥行き４００ｍｍの台座本体２の中に必要において複数の引き出し部３を有し、図２に示す部分拡大図の様に台座本体２表面に中央部が凹状である幅３０ｍｍの外枠体４を形成すると共に、該外枠体４内部に凸状部の台座５が前記外枠体４より約１０ｍｍ高くなるように載置固定され、台座５上にクロス布団を貼り付けて直接、商品を展示できるようにしている。
【００２３】
この什器用台座の引き出し部３は、台座本体内部に設けられたスライドレールの中を移動可能な金属を引き出し部３の側方に２ヶ所取付けて、前後に引き出しを容易にすると共に、鍵部を引き出し部の前面にそれぞれ設けて通常はロック状態にして内部の商品を保管している。
【実施例２】
【００２４】
図３は、本発明の別な形態を示す移動容易な台座である。この什器用台座８は、一例として縦幅１５０ｍｍ、横幅６００ｍｍ、奥行き４００ｍｍの台座本体９の表面に中央部が凹状である幅３０ｍｍの外枠体１０を形成すると共に、該外枠体１０内部に凸状部の台座１１が前記外枠体１０より約１０ｍｍ高くなるように載置固定され、台座１１上にクロス布団を貼り付けて直接、商品を展示できるようにしている。
【００２５】
この什器用台座８は、図４に示すように中央部が凹状である外枠体１０の凹状部に凸状部の台座１１が載置されているために、他の陳列ケースや什器底部の凹状部内周面が該凸状部面と外枠との段差を利用して接触可能に載置されるために、他の陳列ケースや什器の載置ずれを防止することが可能な移動タイプの什器用台座である。
【実施例３】
【００２６】
図５は、本発明のさらに別な形態を示す移動容易な台座である。この什器用台座１２は、一例として縦幅１５０ｍｍ、横幅６００ｍｍ、奥行き４００ｍｍの台座本体１３の表面に台座本体９より面積の小さい板からなる上座１４（縦幅１００ｍｍ、横幅５７０ｍｍ、奥行き３７０ｍｍ）を載置してネジ固定するか、或いは段差を有するように一体成形してもよい。
【００２７】
この場合、什器用台座は、図６に示すように什器用台座１３と上部の台座１４とによって段差（高さ約１０ｍｍ）を有するために、他の陳列ケースや什器底部の凹状部内周面が前記段差を利用して接触可能に載置されるために、他の陳列ケースや什器の載置ずれを防止することが可能な移動タイプの什器用台座である。
【実施例４】
【００２８】
この什器用台座の更に別な形態として、実施例１に示すように一例として縦幅７８０ｍｍ、横幅６００ｍｍ、奥行き４００ｍｍの台座本体２の中に必要において複数の引き出し部３を有した台座本体２を用いて、図５に示すようにその台座本体２の上部より面積の小さい板からなる上座１４（縦高さ１００ｍｍ、横５７０ｍｍ、奥行き３７０ｍｍ）を載置してネジ固定するか、或いは段差を有するように一体成形してもよい。
【００２９】
この什器用台座２は、台座上面が図６に示すように上記用台座と上部の台座１４との段差（高さ約１０ｍｍ）を有するために、他の陳列ケースや什器底部の凹状部内周面が該凸状部面と外枠との段差を利用して接触可能に載置されるために、他の陳列ケースや什器の載置ずれを防止することが可能な固定タイプの什器用台座である。
【実施例５】
【００３０】
図７は、本発明のさらに別な形態を示す移動容易な台座である。この什器用台座３７は、一例として縦幅１５０ｍｍ、横幅６００ｍｍ、奥行き４００ｍｍの台座本体３８の表面及び底部側に約１５ｍｍの外枠を設けて内部に窪み部３９、４０を形成し、表面の窪み部３９には縦幅１１ｍｍ、横幅５７０ｍｍ、奥行き３７０ｍｍの展示用台座部４１を脱着可能に嵌合して、展示品を直接この展示台座部４１上に載置できるようにしている。
【００３１】
この場合、什器用台座は、図８に示すように底部裏側にも窪み部４０を有することから図１等に示す什器の上に載置して、一体化できるように構成されている。
【００３２】
本実施例における展示用台座部４１としては、内部にウレタン樹脂等を重ねて表面をクロス布団張りにして表面を柔らかい構造としている。
【実施例６】
【００３３】
図９は、貴金属商品陳列ケースを実施例４で示す什器用台座１に載置した状態を示す斜視図である。本発明の貴金属商品陳列ケース１２は、外枠を有する凹状箱体であって、箱体底部面は外枠部と窪み部が設けられ、一方、箱体内部には複数の山形状の中置き材を着脱自在に載置し、該中置き材の斜面を利用して貴金属を展示するように構成されている。
【００３４】
この場合、前記凹状箱体や山形状の中置き材は、アクリル樹脂素材の様な透明素材を用いて視認性を高めている他、前記中置き材は、斜面部と垂直面とが交互に連続する様に構成して展示する貴金属を斜面部に直接陳列する他に、図１０に示すように頂部に合致する長手形状の透明素材であるＶ字状押え棒１７で鎖部を固定してもよい。
【００３５】
什器用台座として前記の様に固定タイプの什器用台座１を用いた場合は、設置場所でしか展示ができないが、実施例２で示す移動用の什器用台座８の場合には、この貴金属陳列ケースを載置したまま、任意の箇所に移動できるので陳列状のメリットは大きいものである。
【実施例７】
【００３６】
図１１は、ネックレス等を展示する陳列ケースの斜視図である。この陳列ケースは、矩形状上板と側板と裏板とを有する基台と、ネックレス等を陳列する陳列部を有する引出部とから構成され、図１２に示すように前記引出部は基台上を前後に出し入れ可能となっており、更に、前記基台底部には外枠部と窪み部とが構成されてなることにより、前記窪み部で台座の凸上部に載置することが可能となっている。
【００３７】
この場合、前記引出部は、前記矩形状上板の下部に複数のフック部を設けて商品を止める商品止め部と、該商品止め部から入り口方面に傾斜を有する陳列部と、前記基台に鍵止めできる鍵部とを有しており、通常の展示時には鍵をロックした状態でおくと、顧客はネックレス等の商品を手にして見ることができるが、商品に附属する鎖が商品止め部にお受けられたフックによる係止のために、外部に引き出すことを防止可能としている。
【００３８】
この陳列ケースの基台底部には、図１３に示すように窪み部２７を設け、実施例１、実施例２及び実施例３に示す什器用台座の外枠体に載置され、凸状部で左右前後に移動しないように構成されている。
【実施例８】
【００３９】
図１４は、上部四方を透明ガラスで覆った陳列ケースを示す斜視図である。この陳列ケースは、基台と、該基台上を移動可能な引出部とから構成され、前記基台は、三方向に外枠を有すると共に、該外枠の内側面に沿って延設する透明ガラスと頂部を覆う透明ガラスとによって空間を形成し、一方、引出部は、基台の表面に設けられた底引きスライドレールを移動する金属板を底部に固定すると共に、引出板内側面に沿って透明ガラスを延設して、前記基台上の透明ガラスとで密封空間を設けている。
【００４０】
この場合、前記引出部の前面には、鍵部を取付けてあり、閉鎖時にはロック鍵が前記基台に設けた鍵穴に固定されることによって引出部の移動を阻止しているが、顧客よりの要望がある場合には、図１５に示すように担当者が鍵部のロックを外すと引出部を引くことによって引出部と一体になっている陳列部を手前に出せるために、顧客への説明が容易になるという効果を有している。
【図面の簡単な説明】
【００４１】
【図１】本発明に基づく什器用台座を示す斜視図である。
【図２】図１におけるＡ−Ａ断面の部分拡大図である。
【図３】本発明に基づく別な形態を示す移動用什器用台座を示す斜視図である。
【図４】図３におけるＢ−Ｂ断面の部分拡大図である。
【図５】本発明に基づくさらに別な形態を示す移動用什器用台座を示す斜視図である。
【図６】図５におけるＣ−Ｃ断面の部分拡大図である。
【図７】本発明に基づくさらに別な形態を示す移動用什器用台座を示す斜視図である。
【図８】図５におけるＤ−Ｄ断面の部分拡大図である。
【図９】図１に示す什器用台座に実施例５で示す貴金属商品展示用陳列ケースを組み合わせた斜視図である。
【図１０】図８における部分断面図である。
【図１１】実施例６で示すネックレス等の陳列ケースの斜視図である。
【図１２】図１１において引出部を引き出した状態を示す斜視図である。
【図１３】図１１におけるＤ方向から見た矢視断面図である。
【図１４】実施例７で示す時計や指輪等の商品展示用陳列ケースを示す斜視図である。
【図１５】図１４における引出部を引き出した状態を示す斜視図である。
【符号の説明】
【００４２】
１・・・・什器用台座
２・・・・台座本体
３・・・・引き出し部
４・・・・外枠体
５・・・・台座
６・・・・引き出しボタン
７・・・・引き出し枠
８・・・・什器用台座
９・・・・台座本体
１０・・・外枠体
１１・・・台座
１２・・・什器用台座
１３・・・台座本体
１４・・・上部台座
１５・・・貴金属商品展示用陳列ケース
１６・・・山形状中置き材
１７・・・押え具
１８・・・ネックレス陳列ケース
１９・・・基台
２０・・・引出部
２１・・・陳列部
２２・・・ネックレス
２３・・・鍵部
２４・・・フック部
２５・・・ガイドレール
２６・・・商品止め部
２７・・・窪み部
２８・・・外枠
２９・・・陳列ケース
３０・・・基台
３１・・・引出部
３２・・・鍵部
３３・・・基台用ガラス部
３４・・・引出部用ガラス部
３５・・・陳列部
３６・・・ガイドレール
３７・・・什器用台座
３８・・・台座本体
３９・・・上部窪み部
４０・・・下部窪み部
４１・・・展示用台座部
【図１】
2006187518.tif 000003
【図２】
2006187518.tif 000004
【図３】
2006187518.tif 000005
【図４】
2006187518.tif 000006
【図５】
2006187518.tif 000007
【図６】
2006187518.tif 000008
【図７】
2006187518.tif 000009
【図８】
2006187518.tif 000010
【図９】
2006187518.tif 000011
【図１０】
2006187518.tif 000012
【図１１】
2006187518.tif 000013
【図１２】
2006187518.tif 000014
【図１３】
2006187518.tif 000015
【図１４】
2006187518.tif 000016
【図１５】
2006187518.tif 000017